(57)【要約】【課題】ガラス越しに外の景色を撮影する際に室内の物や人が写り込むのを防ぐことができるカメラアクセサリを提供する。【解決手段】透明板（１）越しの撮影に使用されるカメラアクセサリにおいて、カメラ（１０）の撮影レンズ（１３）に対向するように配置されてカメラ（１０）の前面を支持するとともに、透明板（１）に接触可能な筒状支持部（２０ａ）と、カメラ（１０）の前面を支持するとともに、透明板（１）に接触可能な複数の支持部（２０ｂ，２１ｂ）と、筒状支持部（２０ａ）と複数の支持部（２０ｂ，２１ｂ）とを直線で結んだときに形成される多角形が変化できるように、筒状支持部（２０ａ）と複数の支持部（２０ｂ，２１ｂ）とを連結する連結機構とを備えていることを特徴とするカメラアクセサリ。【選択図】図１
2013182159.tif 000002
【特許請求の範囲】
【請求項１】
透明板越しの撮影に使用されるカメラアクセサリにおいて、
カメラの撮影レンズに対向するように配置されて前記カメラの前面を支持するとともに、前記透明板に接触可能な筒状支持部と、
前記カメラの前面を支持するとともに、前記透明板に接触可能な複数の支持部と、
前記筒状支持部と前記複数の支持部とを直線で結んだときに形成される多角形が変化できるように、前記筒状支持部と前記複数の支持部とを連結する連結機構と
を備えていることを特徴とするカメラアクセサリ。
【請求項２】
前記筒状支持部、前記複数の支持部の少なくとも１つが、前記筒状支持部の軸方向と平行な方向の長さを調節可能である
ことを特徴とする請求項１記載のカメラアクセサリ。
【請求項３】
前記筒状支持部の先端部に、前記透明板に接触可能な筒部材が着脱され、
前記筒部材の先端面が、その筒部材の軸方向に対して傾斜している
ことを特徴とする請求項１又は２記載のカメラアクセサリ。
【請求項４】
前記連結機構は、
前記筒状支持部と前記複数の支持部のうちの一方の支持部とを連結する第１のアームと、
一端部が前記筒状支持部に回転可能に接続され、他端部が前記複数の支持部のうちの他方の支持部を保持する第２のアームと
を有することを特徴とする請求項１〜３のいずれか１項記載のカメラアクセサリ。
【請求項５】
前記連結機構は、
前記筒状支持部と前記複数の支持部のうちの一方の支持部とを連結する第１のアームと、
一端部が前記第１のアームに回転可能に接続され、他端部が前記複数の支持部のうちの他方の支持部を保持する第２のアームと
を有することを特徴とする請求項１〜３のいずれか１項記載のカメラアクセサリ。
【請求項６】
前記連結機構は、前記第１のアームを前記カメラに固定させる固定部を有することを特徴とする請求項４又は５記載のカメラアクセサリ。
【請求項７】
前記第２のアームの回転量を増やす切欠き部が、前記第２のアームに設けられていることを特徴とする請求項４〜６のいずれか１項記載のカメラアクセサリ。
【発明の詳細な説明】
【技術分野】
【０００１】
この発明はカメラアクセサリに関する。
【背景技術】
【０００２】
従来、カメラを使用して撮影、プリントしたときに正しいカラーバランスと濃度との画像を得ることができる方法が知られている（下記特許公報参照）。
【先行技術文献】
【特許文献】
【０００３】
【特許文献１】特開平３−１４８６４２号公報
【発明の概要】
【発明が解決しようとする課題】
【０００４】
上記公報にはカメラボディの前面から撮影レンズが突き出す、一般的な形状を有するカメラが記載されている（同公報の図４参照）。このカメラを使用して室内からガラス越しに外の景色を撮影する場合、室内の物や人がガラスに反射して外の景色とともに写り込んでしまうという問題があった。この問題を解決する第１の方法として、ガラス窓を開けて、外の景色を撮影するという方法がある。しかし、例えば高層建築物ではガラスの落下を防止する等の観点から、ガラス窓を開けることができないことが多く、ガラス越しの撮影を余儀なくされる。また、室内の物や人の写り込みを防ぐ第２の方法として、撮影レンズをガラスに当接して撮影する方法が考えられるが、撮影レンズをガラスにぶつけてガラスを傷つけるおそれ等があり、好ましくない。
【０００５】
この発明はこのような事情に鑑みてなされたもので、その課題は、ガラス越しに外の景色を撮影する際に室内の物や人が写り込むのを防ぐことができるカメラアクセサリを提供することである。
【課題を解決するための手段】
【０００６】
上記課題を解決するため請求項１記載の発明は、透明板越しの撮影に使用されるカメラアクセサリにおいて、カメラの撮影レンズに対向するように配置されて前記カメラの前面を支持するとともに、前記透明板に接触可能な筒状支持部と、前記カメラの前面を支持するとともに、前記透明板に接触可能な複数の支持部と、前記筒状支持部と前記複数の支持部とを直線で結んだときに形成される多角形が変化できるように、前記筒状支持部と前記複数の支持部とを連結する連結機構とを備えていることを特徴とする。
【０００７】
請求項２記載の発明は、請求項１記載のカメラアクセサリにおいて、前記筒状支持部、前記複数の支持部の少なくとも１つが、前記筒状支持部の軸方向と平行な方向の長さを調節可能であることを特徴とする。
【０００８】
請求項３記載の発明は、請求項１又は２記載のカメラアクセサリにおいて、前記筒状支持部の先端部に、前記透明板に接触可能な筒部材が着脱され、前記筒部材の先端面が、その筒部材の軸方向に対して傾斜していることを特徴とする。
【０００９】
請求項４記載の発明は、請求項１〜３のいずれか１項記載のカメラアクセサリにおいて、前記連結機構は、前記筒状支持部と前記複数の支持部のうちの一方の支持部とを連結する第１のアームと、一端部が前記筒状支持部に回転可能に接続され、他端部が前記複数の支持部のうちの他方の支持部を保持する第２のアームとを有することを特徴とする。
【００１０】
請求項５記載の発明は、請求項１〜３のいずれか１項記載のカメラアクセサリにおいて、前記連結機構は、前記筒状支持部と前記複数の支持部のうちの一方の支持部とを連結する第１のアームと、一端部が前記第１のアームに回転可能に接続され、他端部が前記複数の支持部のうちの他方の支持部を保持する第２のアームとを有することを特徴とする。
【００１１】
請求項６記載の発明は、請求項４又は５記載のカメラアクセサリにおいて、前記連結機構は、前記第１のアームを前記カメラに固定させる固定部を有することを特徴とする。
【００１２】
請求項７記載の発明は、請求項４〜６のいずれか１項記載のカメラアクセサリにおいて、前記第２のアームの回転量を増やす切欠き部が、前記第２のアームに設けられていることを特徴とする。
【発明の効果】
【００１３】
この発明によればガラス越しに外の景色を撮影する際に室内の物や人が写り込むのを防ぐことができる。
【図面の簡単な説明】
【００１４】
【図１】図１（ａ）はこの発明の第１実施形態に係るカメラアクセサリの使用状態を示す正面図、図１（ｂ）はその右側面図（但し、カメラアクセサリを断面で示した。）、図１（ｃ）はその左側面図である。
【図２】図２はカメラアクセサリを使用しないときの状態を示す正面図である。
【図３】図３はこの発明の第１実施形態の変形例に係るカメラアクセサリの正面図であり、カメラアクセサリを使用しないときの状態を示す図である。
【図４】図４（ａ）はこの発明の第２実施形態に係るカメラアクセサリの使用状態を示す正面図、図４（ｂ）はその右側面図（但し、カメラアクセサリを断面で示した。）、図４（ｃ）はその左側面図である。
【図５】図５（ａ）はこの発明の第２実施形態に係るカメラアクセサリの異なる使用状態を示す正面図、図５（ｂ）はその右側面図（但し、カメラアクセサリを断面で示した。）、図５（ｃ）はその左側面図である。
【図６】図６（ａ）はこの発明の第３実施形態に係るカメラアクセサリの使用状態を示す正面図、図６（ｂ）はその右側面図（但し、カメラアクセサリを断面で示した。）、図６（ｃ）はその左側面図である。
【図７】図７（ａ）はこの発明の第３実施形態に係るカメラアクセサリの異なる使用状態を示す正面図、図７（ｂ）はその右側面図（但し、カメラアクセサリを断面で示した。）、図７（ｃ）はその左側面図である。
【図８】図８（ａ）はこの発明の第４実施形態に係るカメラアクセサリの使用状態を示す正面図、図８（ｂ）はその右側面図、図８（ｃ）はその左側面図、図８（ｄ）はその上面図である。
【発明を実施するための形態】
【００１５】
以下、この発明の実施の形態を図面に基づいて説明する。
【００１６】
図１（ａ）はこの発明の第１実施形態に係るカメラアクセサリ５０の使用状態を示す正面図、図１（ｂ）はその右側面図（但し、カメラアクセサリ５０を断面で示した。）、図１（ｃ）はその左側面図である。なお、図１（ｂ）のカメラアクセサリ５０は図１（ａ）のａ−ａ線に沿う断面図で示されている。
【００１７】
カメラアクセサリ５０はガラス（透明板）１越しの撮影に使用されるものであり、ゴム製（又はプラスチック製）である。
【００１８】
カメラ１０の前面には撮影レンズ１３が配置され、カメラ１０の上面には電源ボタン１１とレリーズボタン１２とが配置されている。電源ボタン１１を押すことでカメラ１０の電源が入り、レリーズボタン１２を押すことで撮影することができる。
【００１９】
カメラアクセサリ５０は、カメラアクセサリ本体２０と回転部２１とで構成される。
【００２０】
カメラアクセサリ本体２０は、撮影レンズ１３に対向するように配置されてカメラ１０の前面を支持する筒状支持部２０ａと、筒状支持部２０ａから筒状支持部２０ａの中心軸と直交する方向へ延びる第１の連結部（第１のアーム）２０ｃと、第１の連結部２０ｃの先端部に形成され、カメラ１０の前面を支持する第１の脚部（支持部）２０ｂとを備えている。
【００２１】
回転部２１は、筒状支持部２０ａを軸にして回転可能に支持された中空部２１ａと、中空部２１ａから筒状支持部２０ａの中心軸と直交する方向へ延びる第２の連結部（第２のアーム）２１ｃと、第２の連結部２１ｃの先端部に形成され、カメラ１０の前面を支持する第２の脚部（支持部）２１ｂとを備えている。
【００２２】
第１の連結部２０ｃと第２の連結部２１ｃとで連結機構が構成される。
【００２３】
筒状支持部２０ａ、第１の脚部２０ｂ及び第２の脚部２１ｂはそれぞれガラス１に接触可能である。
【００２４】
回転部２１の中空部２１ａは筒状支持部２０ａの外周面に回転可能に嵌合している。筒状支持部２０ａの外周面に形成された溝２０ｄにはクリップ２２が嵌め込まれ、中空部２１ａが筒状支持部２０ａから外れない構成となっている。
【００２５】
第１の脚部２０ｂが形成されている第１の連結部２０ｃはカメラ１０の前面に接触している。
【００２６】
第２の脚部２１ｂは、筒状支持部２０ａの中心軸と平行にカメラ１０から離れる方向へ突出する支持部２１ｈと、第２の連結部２１ｃを挟んで支持部２１ｈの反対側へ突出する支持部２１ｄとで構成されている。
【００２７】
筒状支持部２０ａ、第１の脚部２０ｂ及び第２の脚部２１ｂのそれぞれの中心点を直線で結んで形成される三角形（多角形）の形を、筒状支持部２０ａを中心として回転部２１を回転させて第１の連結部２０ｃと第２の連結部２１ｃとのなす角度を変えることによって変化させることができる。なお、カメラアクセサリ５０をプラスチックで作った場合、筒状支持部２０ａ、第１の脚部２０ｂ及び第２の脚部２１ｂのガラス１に当接する部分にガラス１が傷付かないようにゴム等の柔らかい素材（図示せず）を設ける。
【００２８】
カメラアクセサリ５０を使用してガラス１越しに外の景色を撮影する場合、まず、撮影レンズ１３のかざり環１３ａに筒状支持部２０ａを嵌合するとともに、第１の連結部２０ｃをカメラ１０の前面に配置する。このとき、筒状支持部２０ａ、第１の脚部２０ｂはカメラ１０の前面に接触する。また、回転部２１を回転させて回転部２１の第２の脚部２１ｂの支持部２１ｄをカメラ１０の前面に配置する。その後、筒状支持部２０ａ、第１の脚部２０ｂ及び第２の脚部２１ｂの支持部２１ｈをガラス１に接触させて撮影をする。
【００２９】
なお、カメラアクセサリ５０を使用しないときにはカメラアクセサリ５０は図２に示すように折り畳むことができる。
【００３０】
図２はカメラアクセサリ５０を使用しないときの状態を示す正面図である。
【００３１】
カメラアクセサリ５０を使用しないときには筒状支持部２０ａを中心として回転部２１を反時計方向へ回転させればよい。
【００３２】
この第１実施形態によれば、筒状支持部２０ａのガラス１への接触によって、ガラス１に反射した室内の物や人の像が撮影レンズ１３に入り込むことがなくなるので、ガラス１越しに外の景色を撮影する際に室内の物や人が写り込むのを防ぐことができる。また、写り込みを防止するための筒状支持部２０ａを３点支持するための部材の１つとして用いたので、部品点数の増加を防止できる。更に、筒状支持部２０ａ、第１の脚部２０ｂ及び第２の脚部２１ｂの３つがカメラ１０の前面とガラス１とに当接するため、カメラ１０が安定する。そのため、夜景等のように長時間の露光を行う際にもブレのない撮影を行うことができる。また、カメラアクセサリ５０を使用しないときにはカメラアクセサリ５０を使用状態のときよりコンパクトにすることができるので、持ち運びに便利である。更に、カメラアクセサリ５０はゴムで造られ、しかも筒状支持部２０ａはカメラ１０のかざり環１３ａに嵌合するので、撮影中にカメラ１０がカメラアクセサリ５０から外れてしまうことを防止できる。なお、この実施形態においては、中空部２１ａと第２の連結部２１ｃと第２の脚部２１ｂとで回転部２１を構成したが、第２の連結部２１ｃを連結ピンで連結された２つの部材で構成し（図示せず）、連結ピンを支点として筒状支持部２０ａを第２の脚部２１ｂに対して回転できるようにすれば、使用しないときにカメラアクセサリ５０をよりコンパクトにすることができる。
【００３３】
図３はこの発明の第１実施形態の変形例に係るカメラアクセサリの正面図であり、第１実施形態と共通する部分には同一符号を付してその説明を省略する。
【００３４】
この変形例は回転部２１の第２の連結部２１ｃに第１の脚部２０ｂが入り込む切欠き部２１ｅを設けた点で第１実施形態と相違する。なお、この変形例はカメラアクセサリを使用しないときの状態を示す。
【００３５】
この変形例によれば、カメラアクセサリをコンパクトにするときの第２の連結部２１ｃの回転量を増やすことができるので、第１の連結部２０ｃと第２の連結部２１ｃとを図３に示すように重ね合わせることができ、使用しないときのカメラアクセサリを更にコンパクトにでき、持ち運びが一層便利になる。
【００３６】
図４（ａ）はこの発明の第２実施形態に係るカメラアクセサリ６０の使用状態を示す正面図、図４（ｂ）はその右側面図（但し、カメラアクセサリ６０を断面で示した。）、図４（ｃ）はその左側面図であり、第１実施形態と共通する部分については同一符号を付してその説明を省略する。図４（ｂ）は図４（ａ）のｂ−ｂ線に沿う断面図で示されている。
【００３７】
この実施形態は、回転部３１がカメラアクセサリ本体３０の連結部３０ｃの中間部に設けられた軸３０ｆで回転可能に接続されている点、及び第１、２の脚部３３，３４（支持部）が筒状支持部３０ａの中心軸に平行な方向へ移動可能である点で、第１実施形態と相違する。
【００３８】
カメラアクセサリ６０はガラス１越しの撮影に使用されるものである。
【００３９】
カメラアクセサリ本体３０の第１の連結部３０ｃの軸３０ｆに第２の連結部（第２のアーム）３１ｃの一端部に位置する中空部３１ａが回転可能に接続されている。中空部３１ａから軸３０ｆの中心軸と直交する方向へ延びる第２の連結部３１ｃの他端部に、カメラ１０の前面を支持するとともに、ガラス１に接触可能な第２の脚部３４が形成されている。
【００４０】
筒状支持部３０ａと第１の連結部３０ｃと第１の脚部３３とでカメラアクセサリ本体３０が構成される。また、中空部３１ａと第２の連結部３１ｃと第２の脚部３４とで回転部３１が構成される。そして、カメラアクセサリ本体３０と回転部３１とでカメラアクセサリ６０が構成される。なお、第１の連結部３０ｃと第２の連結部３１ｃと中空部３１ａと軸３０ｆとで連結機構が構成される。
【００４１】
回転部３１の中空部３１ａは軸３０ｆの外周面に回転可能に嵌合している。軸３０ｆの外周面に形成された溝３０ｄにはクリップ３２が嵌め込まれ、回転部３１が軸３０ｆから外れない構成となっている。
【００４２】
第１の連結部３０ｃはカメラ１０の前面に配置されている。第１の脚部３３は、第１の連結部３０ｃに形成されたねじ孔（図示せず）に螺合するねじ３０ｂと、ねじ３０ｂに螺合するナット状の脚３０ｈとで構成されている。脚３０ｈがガラス１に接触し、ねじ３０ｂの一端部がカメラ１０の前面に接触する。
【００４３】
脚３０ｈを回してねじ込み量を変えることによって第１の脚部３３の筒状支持部３０ａの中心軸に平行な方向の長さを調節することができる。
【００４４】
第２の脚部３４は、第２の連結部３１ｃに形成されたねじ孔（図示せず）に螺合するねじ３１ｂと、ねじ３１ｂに螺合するナット状の脚３１ｈとで構成されている。脚３１ｈがガラス１に接触し、ねじ３１ｂの頭部３１ｄがカメラ１０の前面に接触する。
【００４５】
脚３１ｈを回してねじ込み量を変えることによって第２の脚部３４の筒状支持部３０ａの中心軸に平行な方向の長さを調整することができる。
【００４６】
第１の脚部３３、第２の脚部３４の長さを変えることによってガラス１に対するカメラ１０の傾斜角度を調整することができる。
【００４７】
なお、この実施形態では、筒状支持部の軸方向の長さは一定であるが、例えば内周面にねじを有する円筒とこの円筒に螺合する円筒とで図示しない筒状支持部を構成することによって、筒状支持部の軸方向の長さを変えることができる。
【００４８】
この実施形態においても、筒状支持部３０ａ、第１の脚部３０ｂ及び第２の脚部３１ｂの３つを結んで形成される三角形の形状を変化させることができる。
【００４９】
次に、カメラアクセサリ本体３０と回転部３１とのなす角度を変化させた場合について説明する。
【００５０】
図５（ａ）はこの発明の第２実施形態に係るカメラアクセサリの異なる使用状態を示す正面図、図５（ｂ）はその右側面図（但し、カメラアクセサリを断面で示した。）、図５（ｃ）はその左側面図である。
【００５１】
図５は図４よりカメラアクセサリ本体３０と回転部３１とのなす角度αを大きくした状態を示している。
【００５２】
第１の脚部３３、第２の脚部３４及び筒状支持部３０ａの中心軸を結んで形成される三角形（第１の脚部３３と第２の脚部３４とを結ぶ直線が底辺、筒状支持部３０ａの中心が頂点）の高さが図４の場合の三角形の高さより低くなるため、カメラアクセサリ６０をガラス１に接触させたとき、ガラス１に対するカメラ１０の傾斜角度が図４より大きくなる。
【００５３】
カメラアクセサリ６０を使用してガラス１越しに外の景色を撮影する場合、まず、撮影レンズ１３のかざり環１３ａに筒状支持部３０ａを嵌合するとともに、第１の連結部３０ｃをカメラ１０の前面に配置する。このとき、筒状支持部３０ａ、第１の脚部３０ｂはカメラ１０の前面に接触する。また、回転部３１を回転させて回転部３１の第２の脚部３４をカメラ１０の前面に配置する。更に、第１の脚部３３及び第２の脚部３４のそれぞれの長さを変えることによってガラス１に対するカメラ１０の傾斜角度を調整する。その後、筒状支持部３０ａ、第１の脚部３３及び第２の脚部３４をガラス１に接触させて撮影をする。
【００５４】
この第２実施形態によれば、第１実施形態と同様の効果を奏するとともに、第１の脚部３３、第２の脚部３４の長さを変えたり、カメラアクセサリ本体３０と回転部３１とのなす角度αを変えたりすることによって、ガラス１に対するカメラ１０の傾斜角度を調整することができる。なお、ガラス１に対するカメラ１０の傾斜角度を変えたとき、筒状支持部３０ａとガラス１との間に若干の隙間ができるので、筒状支持部３０ａがガラス１に当接する先端部分にスポンジ状の部材（例えばフェルト）を設けて隙間をなくすのが好ましい。
【００５５】
なお、図４（ａ）において、軸３０ｆは第１の連結部３０ｃの中央部に位置するが、軸３０ｆを第１の連結部３０ｃの中央部よりもっと第１の脚部３３側に配置すれば、第２の連結部３１ｃの支持部３１ｄを収容可能な切欠き部を第１の連結部３０ｃに形成することができ、第１実施形態の変形例と同様に第２の連結部３１ｃの回転量を増やすことができる。
【００５６】
また、この実施形態においては、筒状支持部３０ａと第１の連結部３０ｃと第１の脚部３３とでカメラアクセサリ本体３０を構成したが、第１の連結部３０ｃを２つの部材で構成し、例えば軸３０ｆを支点として筒状支持部３０ａを第１の脚部３３に対して回転できるようにすれば、使用しないときのカメラアクセサリ６０を更にコンパクトにすることができる。
【００５７】
図６（ａ）はこの発明の第３実施形態に係るカメラアクセサリ７０の使用状態を示す正面図、図６（ｂ）はその右側面図（但し、カメラアクセサリ７０を断面で示した。）、図６（ｃ）はその左側面図であり、第２実施形態と共通する部分については同一符号を付してその説明を省略する。図６（ｂ）は図６（ａ）のｃ−ｃ線に沿う断面図で示されている。
【００５８】
この実施形態は筒状支持部４０ａの先端部にガラス１に接触可能なフード（筒部材）４５が着脱可能に装着されている点で第２実施形態と相違する。
【００５９】
カメラアクセサリ７０はガラス１越しの撮影に使用されるものである。
【００６０】
カメラアクセサリ本体４０は、筒状支持部４０ａに着脱可能に装着されるフード（筒部材）４５を備えている。フード４５の先端面は、そのフード４５の軸方向に対して傾斜している。なお、フード４５の筒状支持部４０ａへの装着方法はバヨネット式、ねじ込み式等である。
【００６１】
筒状支持部４０ａと第１の連結部４０ｃと第１の脚部４３とフード４５とでカメラアクセサリ本体４０が構成される。また、中空部４１ａと第２の連結部４１ｃと第２の脚部４４とで回転部４１が構成される。そして、カメラアクセサリ本体４０と回転部４１とでカメラアクセサリ７０が構成される。なお、第２の連結部４１ｃのフード４５の外周面に突き当たる部分には、第２の連結部４１ｃの回転量を増やすための切欠き部４１ｅが設けられている。
【００６２】
この実施形態においても、筒状支持部４０ａ、第１の脚部４０ｂ、第２の脚部４１ｂとの３つを結んで形成される三角形の形状は変化可能である。
【００６３】
次に、カメラアクセサリ本体４０と回転部４１とのなす角度を変化させた場合について説明する。
【００６４】
図７（ａ）はこの発明の第３実施形態に係るカメラアクセサリ７０の異なる使用状態を示す正面図、図７（ｂ）はその右側面図（但し、カメラアクセサリ７０を断面で示した。）、図７（ｃ）はその左側面図である。
【００６５】
図７は図６よりカメラアクセサリ本体４０と回転部４１とのなす角度αを大きくした状態を示している。
【００６６】
第１の脚部４３、第２の脚部４４及び筒状支持部４０ａの中心軸を結んで形成される三角形（第１の脚部４３と第２の脚部４４とを結ぶ直線が底辺、筒状支持部４０ａの中心が頂点）の高さが図６の場合の三角形の高さより低くなるため、カメラアクセサリ７０をガラス１に接触させたとき、ガラス１に対するカメラ１０の傾斜角度が図６より大きくなる。
【００６７】
カメラアクセサリ７０を使用してガラス１越しに外の景色を撮影する場合、まず、撮影レンズ１３のかざり環１３ａに筒状支持部４０ａを嵌合させるとともに、第１の連結部４０ｃをカメラ１０の前面に配置する。このとき、筒状支持部４０ａ、第１の脚部４３はカメラ１０の前面に接触する。また、回転部４１を回転させて回転部４１の第２の脚部４４をカメラ１０の前面に配置する。更に、第１の脚部４３及び第２の脚部４４のそれぞれの長さを変えることによってガラス１に対するカメラ１０の傾斜角度を調整する。その後、フード４５、第１の脚部４３及び第２の脚部４４の３つをガラス１に接触させて撮影をする。
【００６８】
この第３実施形態によれば、第２実施形態と同様の効果を奏するとともに、フード４５により第２実施形態よりガラス１に対するカメラ１０の傾斜角度を大きくすることができる。このとき、第２実施形態のように、筒状支持部４０ａの軸方向の長さを変えることができるようにすれば、ガラス１に対するカメラ１０の傾斜角度を更に大きくすることが可能である。
【００６９】
なお、ガラス１に対するカメラ１０の傾斜角度を変えたとき、フード４５とガラス１との間に若干の隙間ができるので、ガラス１に当接するフード４５の先端部分にスポンジ状の部材（例えばフェルト）を設けて隙間をなくすのが好ましい。
【００７０】
また、この実施形態においては、カメラアクセサリ本体４０を筒状支持部４０ａと第１の連結部４０ｃと第１の脚部４３とフード４５とで構成したが、第２実施形態のように、第１の連結部４０ｃを２つの部材で構成し、例えば軸４０ｆを支点として筒状支持部４０ａを第１の脚部４３に対して回転できるようにすれば、使用しないときのカメラアクセサリ７０を更にコンパクトにすることができる。
【００７１】
次に、カメラアクセサリをカメラ１０に装着するときのカメラアクセサリのカメラ１０への固定方法を説明する。
【００７２】
なお、カメラアクセサリは前述したようにゴム製であるため、その粘着力によってカメラアクセサリはカメラ１０から外れ難いが、カメラアクセサリをカメラ１０に確実に固定するために、ゴムバンド等を用いてカメラアクセサリをカメラ１０に固定する方法や、下記のような構造を採用してもよい。
【００７３】
図８（ａ）はこの発明の第４実施形態に係るカメラアクセサリ８０の使用状態を示す正面図、図８（ｂ）はその右側面図、図８（ｃ）はその左側面図、図８（ｄ）はその上面図であり、第１実施形態と共通する部分には同一符号を付してその説明を省略する。
【００７４】
この第４実施形態は、カメラアクセサリ本体２０Ａの第１の連結部２０ｃに断面Ｕ字状の固定部９０を一体に形成した点で第１実施形態と相違する。
【００７５】
固定部９０は、カメラ１０の前面に接触する前面接触部９１と、カメラ１０の後面に接触する後面接触部９３と、カメラ１０の側面を接触する側面接触部９２とからなり、カメラアクセサリ本体２０Ａと同様にゴム製である。
【００７６】
固定部９０をカメラ１０の側面に引っ掛けるように装着すると、固定部９０がその弾性・粘着性によってカメラ１０に固定され、カメラアクセサリ８０がカメラ１０に確実に保持される。
【００７７】
この第４実施形態によれば、第１実施形態と同様の効果を奏するとともに、固定部９０によって第１実施形態より確実にカメラアクセサリ８０がカメラ１０に固定される。
【００７８】
なお、上記各実施形態では、カメラアクセサリの筒状支持部、第１の脚部及び第２の脚部の３つをガラス１、カメラ１０に接触させたが、カメラ１０をガラス１に安定して保持できれば、ガラス１、カメラ１０に接触させる部分は３つ以上であってもよい。
【符号の説明】
【００７９】
１：ガラス（透明板）、１０：カメラ、１３：撮影レンズ、２０ａ，３０ａ，４０ａ：筒状支持部、２０ｂ，３０ｂ，４０ｂ，２１ｂ，３１ｂ，４１ｂ：脚部（支持部）、２０ｃ，３０ｃ，４０ｃ：第１の連結部（第１のアーム）、２１ｃ，３１ｃ，４１ｃ：第２の連結部（第２のアーム）、２１ｅ，４１ｅ：切欠き部、４５：フード（筒部材）、５０，６０，７０，８０：カメラアクセサリ、９０：固定部。
【図１】
2013182159.tif 000003
【図２】
2013182159.tif 000004
【図３】
2013182159.tif 000005
【図４】
2013182159.tif 000006
【図５】
2013182159.tif 000007
【図６】
2013182159.tif 000008
【図７】
2013182159.tif 000009
【図８】
2013182159.tif 000010